(57)【要約】【解決する課題】  取り扱いが容易で、捕獲しようとする動物を確実に捕縛することができるバネ式わなに用いる中心ジャンプ具と該中心ジャンプ具を備えたバネ式わなを提供する。【解決する手段】  外套管１１と内管１４とよりなり、外套管１１は主パイプ２１内に挿入して挿脱自在な外径と、外套管１１の先端部に主パイプ２１に挿入して回動を防止するための突起部１２を有し、該突起部１２の下部に主パイプ２１を貫通する係合孔２４に整合する係止孔１３を有し、内管１４の外径はバネ２２の内径よりも小さく、外套管１１と内管１４の内側はワイヤ２７が挿通可能であることを特徴とする中心ジャンプ具１００と該中心ジャンプ具１００を備えたバネ式わな２００とした。【選択図】図２
2005224111.tif 000002
【特許請求の範囲】
【請求項１】
動物等の捕獲用のバネ式わなに用いる中心ジャンプ具であって、外套管と内管とよりなり、外套管は主パイプ内に挿入して挿脱自在な外径と、外套管の先端部に主パイプに挿入して回動を防止するための突起部を有し、該突起部の下部に主パイプを貫通する係合孔に整合する係止孔を有し、内管の外径はバネの内径よりも小さく、外套管と内管の内側はワイヤが挿通可能であることを特徴とする中心ジャンプ具。
【請求項２】
請求項１に記載の中心ジャンプ具を備えたことを特徴とするワイヤとバネと主パイプよりなる動物等の捕獲用のわな。
【発明の詳細な説明】
【技術分野】
【０００１】
本発明は、動物捕獲用のわなに用いる中心ジャンプ具に関する。より詳しくは、わなのわさ部を引き絞るために、ワイヤを通してバネを付勢して主パイプに挿入する中心ジャンプ具と該中心ジャンプ具を装着したわなに関する。
【背景技術】
【０００２】
猪や熊などの大型動物の捕獲に用いられるわなは、丈夫なワイヤやロープを用いて、わさ部を作り、このわさ部をバネの力で引き絞る方法がとられている。例えば、特許文献１の場合、請求項１に記載のように「地表内に挿入されるパイプ状の支柱の上端に、けきりの作動状態により支柱内の張りバネの付勢力を受けて係脱自在に取り付けられる頭部を付設し、該頭部の上昇によりループ状の捕獲部を縮径せしめるロープを備えた捕獲具において、上記頭部には支柱内に挿脱自在に挿入される中心を付設し、該中心に張りバネを外装せしめてなる動物等の捕獲具。」が開示されている。ここで開示されている動物等の捕獲具の形態は、張りバネを付設した中心を支柱内に挿入し、けきりによって前記張りバネが反発して、係脱自在に取り付けた頭部が上昇し、頭部に備えたロープが縮径して、動物を捕獲する仕組みになっている。けきりによってバネの付勢力が開放されると頭部がロープの輪を縮径して、動物の足を捕獲する。この方式では頭部の重量によって、ロープの縮径のスピードが異なり、頭部の重量が大きい場合は、頭部の飛びでる距離が短くなりロープの縮径も小さくなり、頭部の重量が軽いとロープの重量に負けて飛び上がらなくなるという問題がある。
【０００３】
また、特許文献２の動物等の捕獲用のわなは、請求項１に記載の通り、「先導作動筒の内部に圧縮された張りバネを設け、けきりの作動により上記張りバネが伸長して上記先導作動筒の作動中筒が突出するように構成された先導作動装置と、わな用ロープの両端部が上記先導作動筒の中に固着され、中間に形成された先導わさ部が上記先導作動筒装置の外部に拡張され、上記先導作動筒の作動中筒が突出したとき上記先導わさ部が縮径される先導わさ部と、わな用ロープの一端に設けられたリングを介して手動わさ部が形成され、わな用ロープの他端は立木などに固着され、かつ、上記リンク部に上記先導わさ部を係合させた手動わなとを備え、上記主導わさ部と先導わさ部とを同心的に設置して仕掛わなを形成し、その仕掛けわなの中に上記けきりを配置し、上記けきりが作動したとき、上記仕掛けわなの先導わさ部が先に縮径され、続いて上記主導わさ部が縮径されるように構成された動物等の捕獲具である。」が開示されている。特許文献２の場合、先導わさ部と主導わさ部が必要であり、仕掛けの設置や、仕掛け後の動物体からの取り外しも面倒で、取り扱いが難しいという問題点があった。また、先導作動筒の重量によって、ロープの縮径のスピードが異なり、先導作動筒の重量が大きい場合は、先導作動筒の飛びでる距離が短くなる結果、ロープの縮径が小さくなり、わなが外れやすく、先導作動筒の重量が軽いとロープの重量に負けて飛び上がらなくなるという問題があった。
【特許文献１】特開平６−２４５６８２号公開公報の請求項１
【特許文献２】特開２００３−１３４９８５号公開公報
【発明の開示】
【発明が解決しようとする課題】
【０００４】
本発明は上記事実に鑑みて、取り扱いが容易で、捕獲しようとする動物を確実に捕縛することができるバネ式わな用の中心ジャンプ具と該中心ジャンプ具を備えたバネ式わなを提供することにある。
【課題を解決するための手段】
【０００５】
取り扱いが容易で、動物の足を強固に捕縛することができるわなの作成について、鋭意研究を重ねた結果、バネによっていきよい良く飛び出して、素早くわさ部を締め付けることができる中心ジャンプ具の作成に成功した。
【０００６】
本発明の第１の特徴は、動物等の捕獲用のバネ式わなに用いる中心ジャンプ具であって、外套管と内管とよりなり、外套管は主パイプ内に挿入して挿脱自在な外径と、外套管の先端部に主パイプに挿入して回動を防止するための突起部を有し、該突起部の下部に主パイプを貫通する係合孔に整合する係止孔を有し、内管の外径はバネの内径よりも小さく、外套管と内管の内側はワイヤが挿通可能であることを特徴とする中心ジャンプ具である。わなの主パイプの中に入れたバネを押圧するために、中心ジャンプ具の外套管の外径は主パイプの内径よりも小さく、バネの内側に入れることが出来る径の内パイプが中心ジャンプ具の下部に取り付けられている。中心ジャンプ具の内側にワイヤを通すことによって、中心ジャンプ具が確実にわさ部を縮径する効果を有している。
【０００７】
本発明の第２の特徴は、請求項１に記載の中心ジャンプ具を備えたことを特徴とするワイヤとバネと主パイプよりなる動物等の捕獲用のわなである。中心ジャンプ具をわなの主パイプ内に挿入することによって、主パイプ内に縮径されたバネが開放されて、主パイプ内から中心ジャンプ具の飛び出す勢いがよくなった。
【発明の効果】
【０００８】
中心ジャンプ具の外套管を主パイプの内径よりも小さくして、中心ジャンプ具の中にワイヤを通して、バネを付勢することができる主パイプ内にバネを縮径して入れることによって、バネが開放されると中心ジャンプ具が高く、勢いよく上方に飛び出るようになった。その結果、動物の足の上部にわなが掛かり、わなが抜けにくくなり、捕獲率が上昇した。
【発明を実施するための最良の形態】
【０００９】
以下に本発明の実施の形態を図で詳細に説明するが、本発明は以下の実施例に限定されるものではない。
【００１０】
図１は本発明の中心ジャンプ具１００を示す。中心ジャンプ具１００の外套管１１の内径は約１０ｍｍ、長さ約７０ｍｍの合成樹脂製のパイプを用い、内管１４には内径約７ｍｍで、長さは１１０ｍｍのステンレスパイプを用い、内管１４は外套管１１に挿入して抜脱出来ないように固着した。中心ジャンプ具の長さは外套管１１の上端から内管１４の下端まで約１５０ｍｍである。中心ジャンプ具１００の内管１４の外周にバネを固定して、バネの中心部にワイヤを通して、ワイヤを中心ジャンプ具１００の上部から出してわさ部を作った。中心ジャンプ具１００は主パイプの中に挿入して係止するように、主パイプの外面を貫通する係合孔に整合するように、中心ジャンプ具１００の外套管１１の外面に切り込みを入れて係止孔１３を設けて、けきりのストッパー部分（けきりレバー）が挿入できるようにする。外套管１１の上端部と係止孔１３の間に突起部１２を設け、主パイプの突起部係合孔と係合して、中心ジャンプ具１００を挿入した場合に、中心ジャンプ具１００が主パイプの中で回動しないようにしている。本実施例では、中心ジャンプ具の外套管に合成樹脂を内管にステンレスパイプを用いたが、外套管と内管の材質は、これらに限定されるものではなく、主パイプに挿入して挿脱自在であり、強力な力が負荷されても破損しないものであればよい。外套管と内官の外径、内径、長さは主パイプ、ワイヤ、バネとの関係から特に上記した外径、内径、長さに限定されるものではない。
【００１１】
図２は中心ジャンプ具１００を備えたわな２００を示す。主パイプ２１にバネ２２を通し、バネ２２の中心部にワイヤ２７を通す。バネ２２は主パイプ２１の上部より挿入し、主パイプ２１の下部に着設したバネ係止具２５によってバネ２２が主パイプ内で係止される。このワイヤ２７を中心ジャンプ具１００の下から通して、次いで、中心ジャンプ具１００の内管１４にバネ２２を被せるようにして取付けてわな２００を組み立てることができる。ここで、主パイプ２１は内径を１６ｍｍ、長さ４００ｍｍの塩ビパイプを使用した。バネ２２は外径１３ｍｍで、長さが１４００ｍｍの押しバネを使用した。ワイヤ２７は外径が約４ｍｍのワイヤを約２００ｍｍにワイヤの長さ調節ネジ２６を通した。さらに、ワイヤの下部にストッパー２９を有する補助ワイヤ２８を約２００ｍｍ繋いだ。わさ部２４の大きさは、バネを縮径してから、ワイヤの長さ調節ネジ２６を緩めて、わさ部の大きさを適当に調節して長さ調節ネジ２６を締めれば、わさ部４２を所望の大きさに調節することができる。バネの長さは中心ジャンプ具を押し上げる（主パイプ内から外に飛び出させる）力になるので、使用するバネの強さ、捕獲しようとする動物の種類等によって、適宜調節することができる。
【００１２】
図３はわな２００の中心ジャンプ具１００を飛び出させるために、バネ２２を主パイプ２１内に縮径して収容して、けきりレバー３２で中心ジャンプ具１００を主パイプ２１に係止する。このように、バネ２２を付勢させた状態で中心ジャンプ具１００と主パイプ２１とをけきり３１で係止すると、動物等がけきり板３３を踏んだとき、けきりレバー３２が解除され、バネ２２の力で中心ジャンプ具１００が飛び出して、ワイヤ２７が動物の足に絡みついて引き締まり、動物を捕獲する。
【００１３】
図４は中心ジャンプ具１００を主パイプ２１内に挿入した状態を示す。中心ジャンプ具１００の外套管１１の上部に設けられた突起部１２と主パイプ２１の突起部係合孔２３を係合させて主パイプ２１に中心ジャンプ具を挿入する。わなを仕掛ける場合は、中心ジャンプ具１００をバネを縮径しながら主パイプに挿入すると、中心ジャンプ具１００の係止孔１３と主パイプ２１の係合孔２４とが整合する。この整合した孔にけきり３１のけきりレバー３２を挿入して中心ジャンプ具１００を、主パイプ内にバネを縮径した状態で、主パイプ２１に係止する。
【００１４】
図５は中心ジャンプ具１００とけきり３１を備えたわな２００を示す。わな２００は図５に示すように、主パイプ２１内にバネ２２を付勢して、けきり３１の上部に着設したけきりレバー３２で付勢したバネ２２を係止している。けきりレバー３２はけきり３１の上部に蝶番で回動自在に着設している。けきり３１はこのバネ２２の反発力のみで主パイプ２１に咬持されている。けきり３１はこのように主パイプ２１に固定されることなく、咬持された状態で装着される。動物がけきり板３３を踏みつけるとけきり３１は、その場に脱落した状態で放置される。わな２００にかかった動物が暴れてもけきり３１はわな２００から離れて、落ちているので壊れる心配がない。
【００１５】
図６は本発明のわな２００を仕掛けた状態を示している。わな２００を地面の穴に埋めて、わさ部４２の大きさをワイヤの長さ調節ねじ２６でワイヤ２７の長さを調節すると、わさ部４２の大きさが調整できる。動物が足４１でけきり板３３を踏みつけるとけきり３１が主パイプ２１から離脱する。けきり３１が離脱すると中心ジャンプ具１００が主パイプ２１より生きよい良く動物の足の上方に飛び出し、中心ジャンプ具１００によってワイヤ２７のわさ部４２が締め付けられ、動物の足がワイヤ２７で拘束される。補助ワイヤ２８の部分に設けたストッパー２９を立木などに固定しておくと、足を拘束された動物はその場で捕獲することが出来る。
【図面の簡単な説明】
【００１６】
【図１】中心ジャンプ具
【図２】中心ジャンプ具を備えたわな
【図３】けきり
【図４】中心ジャンプと主パイプとの係合
【図５】けきりと中心ジャンプ具を備えたわな
【図６】わなを仕掛けた状態
【符号の説明】
【００１７】
１００：中心ジャンプ具
２００：中心ジャンプ具を備えたわな
１１：外套管
１２：突起部
１３：係止孔
１４：内管
２１：主パイプ
２２：バネ
２３：突起部係合孔
２４：係合孔
２５：バネ係止具
２６：ワイヤ調節ねじ
２７：ワイヤ
２８：補助ワイヤ
２９：ストッパー
３１：けきり
３２：けきりレバー
３３：けきり板
４１：動物の足
４２：わさ部
【図１】
2005224111.tif 000003
【図２】
2005224111.tif 000004
【図３】
2005224111.tif 000005
【図４】
2005224111.tif 000006
【図５】
2005224111.tif 000007
【図６】
2005224111.tif 000008